(57)【要約】【課題】反射板を含めた全ての金属性部材について器具本体を通じてアース導通させることが可能な照明器具を提供する。【解決手段】器具本体１の長手方向両端にエンドプレート１０を装着し、器具本体１の突片５をかしめると突片５とかしめ部１２の端縁同士が摺接してお互いの塗膜が剥離し、器具本体１とエンドプレート１０が突片５とかしめ部１２により塗膜を介さずに金属部分で直接接触して導通する。また、反射板２０を器具本体１に取り付ける際に固定部２３を被固定部６に挿入（圧入）すると固定部２３の傾斜面（基端部位２３ｂ）が被固定部６の内側面に摺接して互いの塗膜が剥離され、固定部２３と被固定部６が塗膜を介さずに金属部分で直接接触して導通する。よって、反射板２０を含めた全ての金属性部材について器具本体１を通じてアース導通させることが可能となる。【選択図】        図１
2004200079.tif 000002
【特許請求の範囲】
【請求項１】
少なくとも前面及び両端面が開放された箱状の器具本体と、器具本体にかしめ固定するためのかしめ部を有し器具本体の両端開口を塞ぐように器具本体に取り付けられるエンドプレートと、器具本体の前面に配設される反射板とを備え、器具本体、エンドプレート並びに反射板がそれぞれ金属板より形成され且つ表面が絶縁性を有する塗装材料の塗膜で覆われてなる照明器具であって、かしめ部と器具本体、器具本体と反射板をそれぞれ互いに相手の塗膜を剥離させて接触導通させたことを特徴とする照明器具。
【請求項２】
板状の固定部を反射板に形成するとともに固定部が挿入係止される袋状の被固定部を器具本体に形成し、固定部の基端部位を被固定部の開口寸法よりも小さい寸法から小さくない寸法まで傾斜する形状に形成したことを特徴とする請求項１記載の照明器具。
【請求項３】
板状の固定部を反射板に形成するとともに固定部が挿入係止される袋状の被固定部を器具本体に形成し、固定部の被固定部に挿入される部位に被固定部と摺接することで塗膜が剥離されるとともに被固定部表面の塗膜も剥離する爪を設けたことを特徴とする請求項１記載の照明器具。
【請求項４】
反射板と器具本体の何れか一方に相手側にかしめ固定するためのかしめ片を設け、かしめ片により反射板と器具本体の双方の塗膜を剥離してなることを特徴とする請求項１記載の照明器具。
【請求項５】
反射板を係止する突起をエンドプレートに設け、突起により反射板とエンドプレートの双方の塗膜を剥離してなることを特徴とする請求項１記載の照明器具。
【請求項６】
金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材を器具本体にかしめ固定するとともにかしめ時に自己の塗膜が剥離されると同時に相手側の塗膜を剥離する突起を器具本体又は取付部材の少なくとも何れか一方に設けたことを特徴とする請求項１記載の照明器具。
【請求項７】
金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材に中間フレームの塗膜を剥離して接触導通する剥離用爪部を設けたことを特徴とする請求項１記載の照明器具。
【請求項８】
金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームと摺接して互いの塗膜を剥離し且つ接触導通する突起を器具本体に設けたことを特徴とする請求項１記載の照明器具。
【請求項９】
金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部に取付部材の係止部表面を引っ掻いて塗膜を剥離する歯形を形成したことを特徴とする請求項１記載の照明器具。
【請求項１０】
金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部を、その周縁が取付部材の係止部に摺接して塗膜を剥離する形状の開口としたことを特徴とする請求項１記載の照明器具。
【発明の詳細な説明】
【０００１】
【発明の属する技術分野】
本発明は、照明器具に関するものである。
【０００２】
【従来の技術】
近年、日本工業規格（ＪＩＳ）が国際電気標準会議（ＩＥＣ）規格と整合されたことに伴って、照明器具においても人体が触れる虞のある非充電金属部を全てアース導通させることが要求されている。ところが、従来の照明器具においては、器具本体を構成する非充電金属部については器具本体に設けたアース端子によってアース導通させることができるが、反射板にはアース端子が設けられていなかった。そのため、例えば所謂富士型の天井直付け型の照明器具において、反射板に設けた突起を器具本体に当てて絶縁材料からなる塗膜を剥離し、反射板と器具本体を接触導通させるようにした照明器具が提案されている（特許文献１参照）。
【０００３】
【特許文献１】
特開２００１−６４２９号公報（第２−３頁、第１図）
【０００４】
【発明が解決しようとする課題】
しかしながら、反射板以外の部材、例えば、器具本体の両端に取り付けられるエンドプレートなどの非充電金属部材を備えた照明器具においては、これらの部材についてもアース導通させることが必要である。
【０００５】
本発明は上記事情に鑑みて為されたものであり、その目的は、反射板を含めた全ての金属性部材について器具本体を通じてアース導通させることが可能な照明器具を提供することにある。
【０００６】
【課題を解決するための手段】
請求項１の発明は、上記目的を達成するために、少なくとも前面及び両端面が開放された箱状の器具本体と、器具本体にかしめ固定するためのかしめ部を有し器具本体の両端開口を塞ぐように器具本体に取り付けられるエンドプレートと、器具本体の前面に配設される反射板とを備え、器具本体、エンドプレート並びに反射板がそれぞれ金属板より形成され且つ表面が絶縁性を有する塗装材料の塗膜で覆われてなる照明器具であって、かしめ部と器具本体、器具本体と反射板をそれぞれ互いに相手の塗膜を剥離させて接触導通させたことを特徴とする。
【０００７】
請求項２の発明は、請求項１の発明において、板状の固定部を反射板に形成するとともに固定部が挿入係止される袋状の被固定部を器具本体に形成し、固定部の基端部位を被固定部の開口寸法よりも小さい寸法から小さくない寸法まで傾斜する形状に形成したことを特徴とする。
【０００８】
請求項３の発明は、請求項１の発明において、板状の固定部を反射板に形成するとともに固定部が挿入係止される袋状の被固定部を器具本体に形成し、固定部の被固定部に挿入される部位に被固定部と摺接することで塗膜が剥離されるとともに被固定部表面の塗膜も剥離する爪を設けたことを特徴とする。
【０００９】
請求項４の発明は、請求項１の発明において、反射板と器具本体の何れか一方に相手側にかしめ固定するためのかしめ片を設け、かしめ片により反射板と器具本体の双方の塗膜を剥離してなることを特徴とする。
【００１０】
請求項５の発明は、請求項１の発明において、反射板を係止する突起をエンドプレートに設け、突起により反射板とエンドプレートの双方の塗膜を剥離してなることを特徴とする。
【００１１】
請求項６の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材を器具本体にかしめ固定するとともにかしめ時に自己の塗膜が剥離されると同時に相手側の塗膜を剥離する突起を器具本体又は取付部材の少なくとも何れか一方に設けたことを特徴とする。
【００１２】
請求項７の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材に中間フレームの塗膜を剥離して接触導通する剥離用爪部を設けたことを特徴とする。
【００１３】
請求項８の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームと摺接して互いの塗膜を剥離し且つ接触導通する突起を器具本体に設けたことを特徴とする。
【００１４】
請求項９の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部に取付部材の係止部表面を引っ掻いて塗膜を剥離する歯形を形成したことを特徴とする。
【００１５】
請求項１０の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部を、その周縁が取付部材の係止部に摺接して塗膜を剥離する形状の開口としたことを特徴とする。
【００１６】
【発明の実施の形態】
（実施形態１）
本実施形態の照明器具は、図１に示すように前面及び長手方向の両端面が開放された箱状の器具本体１と、器具本体１にかしめ固定するためのかしめ部１２を有し器具本体１の両端開口を塞ぐように器具本体１に取り付けられるエンドプレート１０と、器具本体１の前面に配設される反射板２０とを備えて天井面に配設されるものである。なお、器具本体１、エンドプレート１０並びに反射板２０は、何れも冷間圧延鋼板（ＳＰＣＣ）等の金属板より形成され、絶縁性を有する塗装材料（例えば、ポリエステルなど）の塗膜で表面が覆われている。
【００１７】
器具本体１は、長手方向沿って並設される長尺の側壁１ａ，１ａと、短手方向の断面形状が略台形である樋状の本体部１ｂとが一体に形成されている。本体部１ｂ底面の長手方向中央には電源線やアース線を引き込むための引き込み孔２と、引き込み孔２から引き込んだ電源線及びアース線を接続する端子台３と、端子台３を介して電源線及びアース線に接続された電子安定器４とが設けられている。また、直管型の蛍光ランプ７０の口金が着脱自在に装着される一対のランプソケット６０を支持する支持板６１が本体部１ｂの長手方向両端部に取り付けられている。さらに、側壁１ａ，１ａの長手方向両端にはエンドプレート１０をかしめ固定するための突片５が背面（上面）側の短手方向両端部より突設されている（図２乃至図４参照）。
【００１８】
エンドプレート１０は矩形平板状に形成されて器具本体１の長手方向両端の開口を塞ぐものであって、長手方向（器具本体１の短手方向）の両端には器具本体１の側壁１ａに沿って突出する鍔部１１が設けられるとともに、鍔部１１先端の背面側には器具本体１の突片５によりかしめ固定されるかしめ部１２が器具本体１の短手方向に沿って突設されている（図２乃至図４参照）。
【００１９】
而して、器具本体１の長手方向両端にエンドプレート１０を装着し、器具本体１の突片５をかしめると突片５とかしめ部１２の端縁同士が摺接してお互いの塗膜が剥離し、器具本体１とエンドプレート１０が突片５とかしめ部１２により塗膜を介さずに金属部分で直接接触して導通することになる。このように突片５とかしめ部１２のかしめ固定によって器具本体１へのエンドプレート１０の取付と導通が同時且つ容易に行え、器具本体１を介してエンドプレート１０をアース導通させることが可能となる。
【００２０】
反射板２０は、器具本体１の短手方向に沿った断面形状が略台形である長尺の反射部２１と、反射部２１の長手方向両端縁から側方へ突出する突出片２２とが一体に形成されてなり、その内側に端子台３や電子安定器４を納め且つランプソケット６０に装着された蛍光ランプ７０を避けるようにして器具本体１の本体部１ｂ内底面に取り付けられる。
【００２１】
また反射板２０には、図５に示すように突出片２２の長手方向両端部において切り欠き２３ａにより突出片２２から分断された板状の固定部２３が形成されている。そして、器具本体１の本体部１ａ底面における長手方向両端部には、反射板２０の固定部２３が挿入係止される袋状の被固定部６が設けてある。ここで、固定部２３の基端部位（切り欠き２３ａと固定部２３の境界の部位）２３ｂが被固定部６の開口寸法ａよりも小さい寸法から小さくない寸法まで傾斜する形状に形成してある。
【００２２】
而して、反射板２０を器具本体１に取り付ける際に固定部２３を被固定部６に挿入（圧入）すると固定部２３の傾斜面（基端部位２３ｂ）が被固定部６の内側面に摺接して互いの塗膜が剥離され、固定部２３と被固定部６が塗膜を介さずに金属部分で直接接触して導通することになる。このように固定部２３を被固定部６に固定することで器具本体１への反射板２０の取付と導通が同時且つ容易に行え、器具本体１を介して反射板２０をアース導通させることが可能となる。
【００２３】
ところで、固定部２３の基端部位２３ｂを上述のような形状に形成する代わりに、図６に示すように固定部２３の先端中央部に先の尖った爪２３ｃを設け、固定部２３を被固定部６に挿入係止する際に爪２３ｃの先端で被固定部６の塗膜を剥離するととともに爪２３ｃ自体の塗膜も剥離し、固定部２３の爪２３ｃと被固定部６を塗膜を介さずに金属部分で直接接触させて導通させるようにしても構わない。
【００２４】
あるいは、固定部２３と被固定部６で接触導通させる代わりに、図７に示すように反射板２０の突出片２２に略台形のかしめ片２４を設け、このかしめ片２４を器具本体１の本体部１ａ底面に貫設した矩形のかしめ孔１ｃにかしめて反射板２０を器具本体１に固定する構造とし、かしめ孔１ｃの周縁とかしめ片２４を摺接して双方の塗膜を剥離し、反射板２０のかしめ片２４と器具本体１の本体部１ａを塗膜を介さずに金属部分で直接接触させて導通させるようにしても構わない。
【００２５】
また、固定部２３と被固定部６で接触導通させる代わりに、図８に示すように反射板２０に係止する一対の突起１３をエンドプレート１０に切り起こし形成し、反射板２０の反射部２１の両端縁を突起１３に係止して反射板２０をエンドプレート１０に固定するとともに、突起１３を反射板２０に摺接させて双方の塗膜を剥離し、反射板２０とエンドプレート１０の突起１３を塗膜を介さずに金属部分で直接接触させて導通させるようにしても構わない。この場合、反射板２０はエンドプレート１０を介して器具本体１と導通することになる。
【００２６】
（実施形態２）
本実施形態の照明器具は、器具本体１の前面に蛍光ランプ７０が直視されるのを遮るためのルーバ３０を備えたものであって、器具本体１やエンドプレート１０等の基本的な構成要素は実施形態１と共通である。よって、共通の構成要素には同一の符号を付して説明を省略する。
【００２７】
ルーバ３０は、図１２に示すように略Ｖ字形の樋状に形成された中間フレーム３１と、図９（ｃ）に示すように全体が平板状であって前端縁が円弧状に形成された複数の遮光片３２とを具備し、中間フレーム３１の前面側に複数の遮光片３２をほぼ等間隔に配置固定してなる。また、中間フレーム３１並びに遮光片３２は金属板より形成され且つ表面が絶縁性を有する塗装材料の塗膜で覆われている。なお、本実施形態では中間フレーム３１が反射板の機能を兼ね備えており、実施形態１における反射板２０は省略してある。
【００２８】
上述のように構成されるルーバ３０は、図１０に示す取付部材４０によって器具本体１に取り付けられる。取付部材４０は、矩形帯状であって中央に丸孔４１ａが貫設された固定片４１と、固定片４１の長手方向両端から前方（図１０における上方）へ曲げ起こされた一対のばね片４２とが、例えばＳＫ５等の炭素工具鋼のようにばね性を有する金属板を加工して一体に形成されている。また、ばね片４２の先端部を略コ字状に折り曲げることで外側に突出する係止部４３が設けてある。
【００２９】
ところで、器具本体１の本体部１ａ底面における長手方向両端部には円筒形のかしめ用突起７が突設されており、取付部材４０の固定片４１に貫設した丸孔４１ａにかしめ用突起７を挿通してかしめることにより取付部材４０が器具本体１の本体部１ａ底面に固定される。ここで、取付部材４０の固定片４１には先端が丸孔４１ａ内に臨む一対の突起４１ｂが形成されており、かしめ用突起７を丸孔４１ａに挿通した際に突起４１ｂがかしめ用突起７の周面に摺接してかしめ用突起７（器具本体１）の塗膜を剥離するとともに自己の塗膜も剥離され、突起４１ｂとかしめ用突起７が塗膜を介さずに金属部分で直接接触することになる。その結果、取付部材４０を器具本体１に取り付けることで突起４１ｂ及びかしめ用突起７を介して取付部材４０と器具本体１を接触導通させることができる。
【００３０】
一方、ルーバ３０の中間フレーム３１の長手方向両端部には、取付部材４０の一対のばね片４２に設けた係止部４３がそれぞれ係止する被係止部３３が形成されている。この被係止部３３は矩形の孔からなり、一の内周縁には略三角形の歯が多数列設された歯形３４が形成されている（図１２（ｂ）参照）。すなわち、取付部材４０のばね片４２を内側に撓ませた状態で係止部４３を中間フレーム３１の被係止部３３に挿入しばね片４２から手を離せば、図１３に示すようにばね片４２が外側に開いて係止部４３が被係止部３３に係止されて中間フレーム３１を取付部材４０に取り付けることができる。ここでばね片４２が元の状態に復帰する際に被係止部３３の歯形３４が係止部４３の表面を引っ掻いて塗膜を剥離するとともに自己の塗膜も剥離され、係止部４３と被係止部３３が塗膜を介さずに金属部分で直接接触することになる。そのため、取付部材４０にルーバ３０（中間フレーム３１）を取り付けることで係止部４３と被係止部３３を介して取付部材４０とルーバ３０を接触導通させることができ、結果的に取付部材４０を介してルーバ３０と器具本体１を接触導通させることができる。
【００３１】
なお、被係止部３３に歯形３４を設ける代わりに、図１４に示すように被係止部３３を一つの角が隅切りされた形状とすることにより、その周縁が取付部材４０の係止部４３に摺接して塗膜を剥離する形状に形成してもよい。すなわち、取付部材４０の係止部４３を被係止部３３に挿入係止する際に係止部３３の隅切り部３５が係止部４３の端縁の塗膜を剥離するとともに自己の塗膜が剥離され、係止部４３と被係止部３３が塗膜を介さずに金属部分で直接接触することになる（図１５参照）。
【００３２】
あるいは、図１６に示すように取付部材４０のばね片４２における係止部４３の近傍に外側に向けて突出する剥離用爪部４４を形成し、ルーバ３０を取付部材４０に取り付ける際に、図１７に示すようにばね片４２が元の状態に復帰する際のばね力により剥離用爪部４４の先端で中間フレーム３１の塗膜を剥離するとともに自己の塗膜が剥離されて取付部材４０とルーバ３０を塗膜を介さずに金属部分で直接接触させるようにしても構わない。
【００３３】
また、図１８に示すように中間フレーム３１と摺接して互いの塗膜を剥離し且つ接触導通する突起８を器具本体１の本体部１ｂ底面に突設するようにしてもよい。すなわち、取付部材４０に中間フレーム３１を取り付ける際に中間フレーム３１の先端部が突起８の端縁に摺接して互いの塗膜が剥離されて金属部分で直接接触することになる。
【００３４】
さらに、取付部材４０にかしめ用突起７の塗膜を剥離する突起４１ｂを設ける代わりに、図１９に示すように器具本体１の本体部１ｂ底面に設けた突起９で取付部材４０の固定片４１の塗膜を剥離し且つ自己の塗膜が剥離されるようにして器具本体１と取付部材４０を接触導通させるようにしても構わない。
【００３５】
【発明の効果】
請求項１の発明は、少なくとも前面及び両端面が開放された箱状の器具本体と、器具本体にかしめ固定するためのかしめ部を有し器具本体の両端開口を塞ぐように器具本体に取り付けられるエンドプレートと、器具本体の前面に配設される反射板とを備え、器具本体、エンドプレート並びに反射板がそれぞれ金属板より形成され且つ表面が絶縁性を有する塗装材料の塗膜で覆われてなる照明器具であって、かしめ部と器具本体、器具本体と反射板をそれぞれ互いに相手の塗膜を剥離させて接触導通させたことを特徴とし、エンドプレート並びに反射板を直接あるいは間接的に器具本体と接触導通させることができ、反射板を含めた全ての金属性部材について器具本体を通じてアース導通させることが可能となる。
【００３６】
請求項２の発明は、請求項１の発明において、板状の固定部を反射板に形成するとともに固定部が挿入係止される袋状の被固定部を器具本体に形成し、固定部の基端部位を被固定部の開口寸法よりも小さい寸法から小さくない寸法まで傾斜する形状に形成したことを特徴とし、反射板を器具本体に取り付ける際に固定部を被固定部に挿入すると固定部の傾斜面が被固定部と摺接して互いの塗膜が剥離され、固定部と被固定部とが塗膜を介さずに直接接触して両者が導通することになり、反射板の器具本体への取付と導通が同時且つ容易に行える。
【００３７】
請求項３の発明は、請求項１の発明において、板状の固定部を反射板に形成するとともに固定部が挿入係止される袋状の被固定部を器具本体に形成し、固定部の被固定部に挿入される部位に被固定部と摺接することで塗膜が剥離されるとともに被固定部表面の塗膜も剥離する爪を設けたことを特徴とし、反射板を器具本体に取り付ける際に固定部を被固定部に挿入すると固定部の爪が被固定部と摺接して互いの塗膜が剥離され、固定部と被固定部とが塗膜を介さずに直接接触して両者が導通することになり、反射板の器具本体への取付と導通が同時且つ容易に行える。
【００３８】
請求項４の発明は、請求項１の発明において、反射板と器具本体の何れか一方に相手側にかしめ固定するためのかしめ片を設け、かしめ片により反射板と器具本体の双方の塗膜を剥離してなることを特徴とし、反射板を器具本体に取り付ける際にかしめ片でかしめ固定すると互いの塗膜が剥離され、反射板と器具本体とが塗膜を介さずに直接接触して両者が導通することになり、反射板の器具本体への取付と導通が同時且つ容易に行える。
【００３９】
請求項５の発明は、請求項１の発明において、反射板を係止する突起をエンドプレートに設け、突起により反射板とエンドプレートの双方の塗膜を剥離してなることを特徴とし、反射板をエンドプレートに取り付ける際に突起が反射板と摺接して互いの塗膜が剥離され、反射板とエンドプレートが塗膜を介さずに直接接触して両者が導通することになり、反射板の器具本体への取付と導通がエンドプレートを介して同時且つ容易に行える。
【００４０】
請求項６の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材を器具本体にかしめ固定するとともにかしめ時に自己の塗膜が剥離されると同時に相手側の塗膜を剥離する突起を器具本体又は取付部材の少なくとも何れか一方に設けたことを特徴とし、取付部材を器具本体に取り付ける際に一方に設けた突起が自己の塗膜と相手側の塗膜を剥離するため、取付部材と器具本体とが塗膜を介さずに直接接触して両者が導通することになり、取付部材の器具本体への取付と導通が同時且つ容易に行える。
【００４１】
請求項７の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、取付部材に中間フレームの塗膜を剥離して接触導通する剥離用爪部を設けたことを特徴とし、取付部材にルーバの中間フレームを取り付ける際に剥離用爪部が自己の塗膜と相手側の塗膜を剥離するため、ルーバの器具本体への取付と導通が取付部材を介して同時且つ容易に行える。
【００４２】
請求項８の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームと摺接して互いの塗膜を剥離し且つ接触導通する突起を器具本体に設けたことを特徴とし、取付部材によりルーバの中間フレームを器具本体に取り付ける際に器具本体の突起が自己の塗膜と中間フレームの塗膜を剥離するため、ルーバと器具本体とが塗膜を介さずに直接接触して両者が導通することになり、ルーバの器具本体への取付と導通が同時且つ容易に行える。
【００４３】
請求項９の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部に取付部材の係止部表面を引っ掻いて塗膜を剥離する歯形を形成したことを特徴とし、ルーバの中間フレームを取付部材に取り付ける際に中間フレームの被係止部に形成した歯形で取付部材の係止部表面を引っ掻いて自己の塗膜及び相手側の塗膜を剥離するため、ルーバと取付部材とが塗膜を介さずに直接接触して両者が導通することになり、ルーバの器具本体への取付と導通が取付部材を介して同時且つ容易に行える。
【００４４】
請求項１０の発明は、請求項１の発明において、金属板より形成され且つ表面が絶縁性を有する塗装材料の塗膜で覆われて器具本体の前面に配設される中間フレーム、並びに中間フレームの前面側に列設されてランプの直視を遮る複数の遮光片を具備するルーバと、中間フレームに設けた被係止部に係止する係止部を具備して器具本体に取着される取付部材とを備え、中間フレームの被係止部を、その周縁が取付部材の係止部に摺接して塗膜を剥離する形状の開口としたことを特徴とし、ルーバの中間フレームを取付部材に取り付ける際に中間フレームの被係止部の周縁が取付部材の係止部に摺接して自己の塗膜及び相手側の塗膜を剥離するため、ルーバと取付部材とが塗膜を介さずに直接接触して両者が導通することになり、ルーバの器具本体への取付と導通が取付部材を介して同時且つ容易に行える。
【図面の簡単な説明】
【図１】実施形態１を示し、（ａ）は反射板を外した状態の正面図、（ｂ）は反射板を外した状態の断面図、（ｃ）は反射板を取り付けた状態の左半断面図である。
【図２】同上の器具本体とエンドプレートの要部を示す平面図である。
【図３】同上の器具本体とエンドプレートの要部を示す一部省略した斜視図である。
【図４】同上の器具本体とエンドプレートの要部を示す一部省略した斜視図である。
【図５】（ａ）及び（ｂ）は同上の器具本体と反射板の取付構造を説明する説明図である。
【図６】（ａ）及び（ｂ）は同上の器具本体と反射板の他の取付構造を説明する説明図である。
【図７】同上の器具本体と反射板のさらに他の取付構造を説明する説明図である。
【図８】同上の反射板とエンドプレートの取付構造を説明する説明図である。
【図９】実施形態２を示し、（ａ）はルーバを外した状態の正面図、（ｂ）はルーバを取り付けた状態の断面図、（ｃ）はルーバを取り付けた状態の左半断面図である。
【図１０】同上における器具本体と取付部材を示す一部省略した斜視図である。
【図１１】同上における器具本体と取付部材を示す一部省略した側面図である。
【図１２】（ａ）及び（ｂ）は同上における取付部材とルーバの取付構造を説明する説明図である。
【図１３】同上における取付部材とルーバの取付構造を説明する説明図である。
【図１４】同上における中間フレームの他の構造の被係止部を示す平面図である。
【図１５】同上における取付部材とルーバの取付構造を説明する説明図である。
【図１６】同上における他の構造の取付部材を示す斜視図である。
【図１７】同上における他の構造の取付部材と中間フレームの取付構造を説明する説明図である。
【図１８】同上における取付部材と中間フレームのさらに他の取付構造を説明する説明図である。
【図１９】同上における器具本体と取付部材の別の取付構造を説明する説明図である。
【符号の説明】
１  器具本体
５  突片
１０  エンドプレート
１２  かしめ部
２０  反射板
２２  突出片
２３  固定部
２３ｂ  基端部位
【図１】
2004200079.tif 000003
【図２】
2004200079.tif 000004
【図３】
2004200079.tif 000005
【図４】
2004200079.tif 000006
【図５】
2004200079.tif 000007
【図６】
2004200079.tif 000008
【図７】
2004200079.tif 000009
【図８】
2004200079.tif 000010
【図９】
2004200079.tif 000011
【図１０】
2004200079.tif 000012
【図１１】
2004200079.tif 000013
【図１２】
2004200079.tif 000014
【図１３】
2004200079.tif 000015
【図１４】
2004200079.tif 000016
【図１５】
2004200079.tif 000017
【図１６】
2004200079.tif 000018
【図１７】
2004200079.tif 000019
【図１８】
2004200079.tif 000020
【図１９】
2004200079.tif 000021